(57)【要約】【課題】移動操作時の作業性を改善する。【解決手段】レバー４０はハウジング２０に対して初期位置と嵌合位置との間を回動可能に装着される。カバー６０はハウジング２０に対して開放位置と閉止位置との間を回動可能に装着される。カバー６０とレバー４０とには、それぞれ、カバー６０とレバー４０のいずれか一方が閉止位置又は嵌合位置に変位した場合に、他方が嵌合位置又は閉止位置に自動的に変位するように、相互に係合し合う連動部が設けられている。連動部は、カバー６０に形成された係合溝６６と、レバー４０の形成された係合ピン４７とからなる。【選択図】図３
2013004419.tif 000002
【特許請求の範囲】
【請求項１】
相手ハウジングに嵌合可能とされ、電線が引き出される電線引出面を有するハウジングと、
前記ハウジングに対して初期位置と嵌合位置との間を回動可能に装着され、前記初期位置では前記相手ハウジングと係合し、前記初期位置から前記嵌合位置に向かう過程では前記相手ハウジングを前記ハウジング側に引き寄せ、前記嵌合位置では前記相手ハウジングを前記ハウジングに正規深さで嵌合させるレバーと、
前記ハウジングに対して開放位置と閉止位置との間を移動可能に装着され、前記開放位置では前記電線引出面から離間して配置され、前記閉止位置では前記電線引出面に近接して配置されることで前記電線の引出方向を規定するカバーとを備え、
前記カバーと前記レバーとには、それぞれ、前記カバーと前記レバーのいずれか一方が前記閉止位置又は前記嵌合位置に変位した場合に、他方が前記嵌合位置又は前記閉止位置に自動的に変位するように、相互に係り合う連動部が設けられていることを特徴とするレバー式コネクタ。
【請求項２】
前記カバーが、前記ハウジングに対して前記開放位置と前記閉止位置との間を回動可能に軸支されていることを特徴とする請求項１記載のレバー式コネクタ。
【請求項３】
前記連動部が、カバーに形成された係合溝と、前記レバーに形成された係合ピンとで構成され、前記係合ピンが前記係合溝の溝面を摺動することにより、前記カバーと前記レバーとが互いに連動する構成とされている請求項１又は２記載のレバー式コネクタ。
【発明の詳細な説明】
【技術分野】
【０００１】
本発明は、レバー式コネクタに関する。
【背景技術】
【０００２】
特許文献１に記載のコネクタは、ハウジング、レバー、スライダ、及びカバーを備えている。ハウジングは相手ハウジングに嵌合可能とされ、レバーはハウジングに対して回動可能に軸支され、スライダはハウジングに対して嵌合方向と直交する方向に移動可能とされている。また、カバーは、ハウジングに対してその嵌合面側と反対面側から被着され、閉止位置に至ると、ハウジングから引き出された電線を所定方向に強制的に屈曲させるようになっている。
【０００３】
ここで、ハウジングが相手ハウジングに浅く嵌合されると、スライダのカム溝内に相手ハウジングのカムフォロアが挿入される。その後、レバーが回動されると、それに伴ってスライダがスライド移動するとともに、カムフォロアがカム溝の溝面を摺動して、スライダと相手ハウジングとの間に倍力作用が発揮される。これにより、相手ハウジングがハウジング側に引き寄せられ、両ハウジングが正規の嵌合位置に至らされるようになっている。
【先行技術文献】
【特許文献】
【０００４】
【特許文献１】特許第３０８６６５６号公報
【発明の概要】
【発明が解決しようとする課題】
【０００５】
ところで、上記従来のレバー式コネクタでは、レバーの回動操作を行った上で、カバーを閉止位置に至らす移動操作を独立して行わねばならなかった。このため、作業が煩雑で手間がかかるという事情があった。
【０００６】
本発明は上記のような事情に基づいて完成されたものであって、移動操作時の作業性を改善することを目的とする。
【課題を解決するための手段】
【０００７】
上記の目的を達成するための手段として、請求項１の発明は、相手ハウジングに嵌合可能とされ、電線が引き出される電線引出面を有するハウジングと、前記ハウジングに対して初期位置と嵌合位置との間を回動可能に装着され、前記初期位置では前記相手ハウジングと係合し、前記初期位置から前記嵌合位置に向かう過程では前記相手ハウジングを前記ハウジング側に引き寄せ、前記嵌合位置では前記相手ハウジングを前記ハウジングに正規深さで嵌合させるレバーと、前記ハウジングに対して開放位置と閉止位置との間を移動可能に装着され、前記開放位置では前記電線引出面から離間して配置され、前記閉止位置では前記電線引出面に近接して配置されることで前記電線の引出方向を規定するカバーとを備え、前記カバーと前記レバーとには、それぞれ、前記カバーと前記レバーのいずれか一方が前記閉止位置又は前記嵌合位置に変位した場合に、他方が前記嵌合位置又は前記閉止位置に自動的に変位するように、相互に係り合う連動部が設けられているところに特徴を有する。
【０００８】
請求項２の発明は、請求項１に記載のものにおいて、前記カバーが、前記ハウジングに対して前記開放位置と前記閉止位置との間を回動可能に軸支されているところに特徴を有する。
【０００９】
請求項３の発明は、請求項１又は２に記載のものにおいて、前記連動部が、前記カバーに形成された係合溝と、前記レバーに形成された係合ピンとで構成され、前記係合ピンが前記係合溝の溝面を摺動することにより、前記カバーと前記レバーとが互いに連動する構成とされているところに特徴を有する。
【発明の効果】
【００１０】
＜請求項１の発明＞
カバーとレバーのいずれか一方が閉止位置又は嵌合位置に変位した場合に、カバーとレバーのそれぞれに設けられた連動部が互いに係り合うことにより、他方が嵌合位置又は閉止位置に自動的に変位するため、カバーとレバーとをそれぞれ閉止位置と嵌合位置とに至らす操作を一度の操作で済ませることができる。その結果、移動操作時の作業性が改善される。
【００１１】
＜請求項２の発明＞
カバーがハウジングに対して開放位置と閉止位置との間を回動可能に軸支されているため、カバーがハウジングの嵌合方向と直交する方向に嵩張るのが回避される。
【００１２】
＜請求項３の発明＞
係合ピンが係合溝の溝面を摺動することにより、カバーとレバーとの連動動作が円滑になされる。
【図面の簡単な説明】
【００１３】
【図１】本発明の実施形態１に係るレバー式コネクタにおいて、カバーが開放位置にあり、レバーが初期位置にある状態をあらわす側面図である。
【図２】ハウジングが相手ハウジングと浅く嵌合された状態をあらわす側面図である。
【図３】ハウジングが相手ハウジングと嵌合される途中の状態をあらわす側面図である。
【図４】ハウジングが相手ハウジングと正規嵌合された状態をあらわす側面図である。
【図５】相手ハウジングの正面図である。
【図６】ハウジングの正面図である。
【図７】カバーの側面図である。
【図８】レバーの正面図である。
【発明を実施するための形態】
【００１４】
＜実施形態１＞
本発明の実施形態１を図１ないし図８によって説明する。実施形態１に係るレバー式コネクタ１０は、ハウジング２０、レバー４０、及びカバー６０を備えている。ハウジング２０は相手ハウジング８０に嵌合可能とされている。なお、以下の説明において、前後方向については相手ハウジング８０に対する嵌合面側を前方とする。
【００１５】
相手ハウジング８０は合成樹脂製であって、図５に示すように、幅方向に長い略角筒状のフード部８１を有している。フード部８１は、前方に開口する形態とされている。フード部８１の奥壁には、複数の雄端子タブ９０が整列して装着されている。また、フード部８１の上下両壁の内周面における幅方向一端寄りの位置には、一対のラック部８２が形成されている。ラック部８２は、図１に示すように、前後方向に延びるリブ状の形態であって、複数のラック歯８３が前後方向に並んで形成されている。
【００１６】
ハウジング２０は合成樹脂製であって、図６に示すように、全体として幅方向に長い角ブロック状のハウジング本体２１からなる。ハウジング本体２１内には、各雄端子タブ９０と対応する位置に、キャビティ２２が整列して形成されている。ハウジング本体２１の各キャビティ２２内には、後方から図示しない雌端子金具が挿入される。各雌端子金具は電線１００の端末部に圧着して接続されている。各雌端子金具から延びる電線１００は、図１に示すように、ハウジング本体２１の後面（電線引出面）から外部に引き出される。また、ハウジング２０が相手ハウジング８０と正規嵌合されると、各雌端子金具が相手ハウジング８０の各雄端子タブ９０と電気的に接続されるようになっている。
【００１７】
図６に示すように、ハウジング本体２１の上下両外面の幅方向略中央部には、レバー４０を回動可能に支持する一対の支軸２３が突出して形成されている。また、ハウジング本体２１の上下両外面の幅方向一端部には、カバー６０を回動可能に支持する一対の軸受け部２４が形成されている。さらに、ハウジング本体２１の上下両外面の幅方向他端部には、カバー６０を保持する一対のロック部２５が突出して形成されている。
【００１８】
レバー４０は合成樹脂製であって、図８に示すように、互いに分離された状態にある一対の板材４１で構成されている。両板材４１は、ハウジング本体２１の上下両面と対応して配置され、図１に示すように、側面視略矩形状の操作部４２と、操作部４２に連なる側面視略円形の作用部４３とを有している。作用部４３の略中央部には、受け孔４４が貫通して形成されている。レバー４０は、受け孔４４に支軸２３が嵌合されることで、ハウジング本体２１に軸支される。そして、レバー４０は、ハウジング２０に対して初期位置と嵌合位置との間を回動可能に装着される。初期位置では、操作部４２がハウジング本体２１の幅方向一端部に配置され、嵌合位置では、操作部４２がハウジング本体２１の後方に突出して配置される。
【００１９】
作用部４３の外側面における受け孔４４周りには、図１に示すように、ピニオン部４５が形成されている。ピニオン部４５には、複数のピニオン歯４６が周方向に並んで形成されている。また、図８に示すように、操作部４２の内側面には、略円柱状の係合ピン４７（連動部）が突出して形成されている。
【００２０】
カバー６０は同じく合成樹脂製であって、図７に示すように、幅方向に長いカバー本体６１を有している。カバー本体６１は前方及び幅方向他側に開放されたキャップ状をなしている。カバー本体６１の上下両外面の前端における幅方向一端部には、一対の略円柱状の軸ピン６２（一方のみ図示する）が外側に突出して形成されている。また、カバー本体６１の上下両外面の前端における幅方向他端部には、撓み可能な一対のロック片６３（一方のみ図示する）が前方に突出して形成されている。ロック片６３には、ロック孔６４が貫通して形成されている。
【００２１】
ここで、カバー６０は、図１に示すように、軸ピン６２が軸受け部２４に嵌合されることで、ハウジング２０の後端部に軸支される。そして、カバー６０は、ハウジング２０に対して軸ピン６２を中心として開放位置と閉止位置との間を回動可能とされている。開放位置では、図１に示すように、カバー本体６１がハウジング本体２１の後面から離間し、ハウジング本体２１の後面後方が実質的に開放された状態となる。このため、ハウジング本体２１の後面から引き出された各電線１００は後方へほぼ真直ぐ延出して配置され得る。一方、閉止位置では、図４に示すように、カバー本体６１がハウジング本体２１の後面に近接し、カバー本体６１の背板がハウジング本体２１の後面後方に対向して配置される。このため、ハウジング本体２１の後面から引き出された各電線１００は、背板の内側面に沿って幅方向他側へ延出して配置される。
【００２２】
さて、カバー本体６１の上下両壁には、図７に示すように、レバー４０の係合ピン４７が嵌合する一対の係合溝６６（連動部であって、一方のみ図示する）が貫通して形成されている。係合溝６６は、カバー本体６１の上下両外面における前端の幅方向一端部から後端の幅方向略中央部にかけて弧状に延びるスリット溝状の形態とされている。
【００２３】
本発明の実施形態１に係るレバー式コネクタ１０の構成は上述の通りであり、続いて、レバー式コネクタ１０の組み付け操作及び嵌合操作について説明する。
まず、ハウジング２０の軸受け部２４にカバー６０の軸ピン６２を嵌め込むことで、ハウジング２０の幅方向一端部にカバー６０を回動可能に軸支させ、かつ、レバー４０の受け孔４４にハウジング２０の支軸２３を嵌め込むことで、ハウジング２０の幅方向略中央部にレバー４０を回動可能に軸支させる。また、カバー６０の外側にレバー４０の操作部４２を位置させ、その状態で、カバー６０の係合溝６６に外側からレバー４０の係合ピン４７を嵌め入れる。そして、図１に示すように、係合溝６６の一端側に係合ピン４７を位置させることにより、レバー４０を初期位置に留め置くとともに、カバー６０を開放位置に留め置く。初期位置では、ピニオン部４５のピニオン歯４６が前方に向けて配置される。
【００２４】
次いで、相手ハウジング８０にハウジング２０を正対させ、その状態で、図２に示すように、フード部８１内にハウジング２０を浅く嵌合させる。すると、レバー４０の作用部４３もフード部８１内に挿入され、ピニオン部４５のピニオン歯４６にラック部８２のラック歯８３が噛み込み可能に配置される。
【００２５】
そして、レバー４０の操作部４２に指を宛がいつつレバー４０を嵌合位置側へ向けて回動させる。これにより、ラック・アンド・ピニオンの機構がはたらき、相手ハウジング８０がハウジング２０側に低操作力で引き寄せられる。また、レバー４０の回動操作に伴い、図３に示すように、係合ピン４７が係合溝６６の溝面を摺動して係合溝６６内を相対変位し、係合ピン４７とカバー６０との間のカム作用により、カバー６０が開放位置から閉止位置側に自動的（強制的）に回動させられる。カバー６０が閉止位置に移動する過程で、各電線１００はカバー６０の背板によって幅方向他端側へ強制的に屈曲させられる。
【００２６】
図４に示すように、レバー４０が嵌合位置まで回動されると、それに伴ってカバー６０も閉止位置に至り、ロック片６３のロック孔６４にロック部２５が弾性的に嵌合させられる。これにより、カバー６０が閉止位置に移動規制状態に保持され、かつレバー４０も嵌合位置に移動規制状態に保持される。
【００２７】
なお、上記とは別に、カバー６０の幅方向他端部を押圧してカバー６０を開放位置から閉止位置に至らすことにより、係合ピン４７と係合溝６６とによってカバー６０と連動するレバー４０を、初期位置から嵌合位置に自動的に至らすことも可能である。
【００２８】
以上説明したように、本実施形態によれば、カバー６０とレバー４０のいずれか一方が閉止位置又は嵌合位置に変位した場合に、係合ピン４７が係合溝６６と係り合い、これによって他方が嵌合位置又は閉止位置に自動的に変位するため、カバー６０とレバー４０とをそれぞれ閉止位置と嵌合位置とに至らす操作を一度の操作で済ませることが可能となる。その結果、カバー６０とレバー４０の移動操作時の作業性が改善される。
【００２９】
また、カバー６０がハウジング２０に対して開放位置と閉止位置との間を回動可能に軸支されているため、カバー６０がハウジング２０の嵌合方向と直交する方向に移動する場合と違って、カバー６０が同方向に嵩張るのが回避される。さらに、係合ピン４７が係合溝６６の溝面を摺動することにより、カバー６０とレバー４０との連動動作が円滑になされる。
【００３０】
＜他の実施形態＞
本発明は上記記述及び図面によって説明した実施形態に限定されるものではなく、例えば次のような実施形態も本発明の技術的範囲に含まれる。
（１）上記レバーは、ラック・アンド・ピニオンの機構を利用するものであったが、これに代わって、例えば、相手ハウジングに形成されたカムフォロアがレバーに形成されたカム溝の溝面を摺動することにより、カム機構が発揮されて相手ハウジングがハウジングに引き寄せられるものであってもよい。
（２）上記レバーは、互いに分離された一対の板材で構成されていたが、これに代わって、例えば、カバーを跨ぐように装着される一体の門型構造で構成されていてもよい。
（３）上記実施形態とは逆に、レバーに係合溝が形成され、カバーに係合ピンが形成されていてもよい。
【符号の説明】
【００３１】
１０…レバー式コネクタ
２０…ハウジング
２１…ハウジング本体
４０…レバー
４１…板材
４５…ピニオン部
４７…係合ピン
６０…カバー
６６…係合溝
８０…相手ハウジング
８１…フード部
８２…ラック部
１００…電線
【図１】
2013004419.tif 000003
【図２】
2013004419.tif 000004
【図３】
2013004419.tif 000005
【図４】
2013004419.tif 000006
【図５】
2013004419.tif 000007
【図６】
2013004419.tif 000008
【図７】
2013004419.tif 000009
【図８】
2013004419.tif 000010